(57)【要約】【課題】脱気装置を設置することなく効果的に消泡でき、被塗装物に均一且つ平滑な塗装面を施すことが可能なフローコータ装置を提供する。【解決手段】塗装用ヘッド装置１と、この塗装用ヘッド装置１に塗料２を供給する塗料供給路３とを備える。塗装用ヘッド装置１が、塗料供給路３から塗料２が供給される前タンク部４、被塗装物５に塗装するために塗料２をカーテン状の膜として流下させるカーテン形成流下部６を有する塗装用ヘッド部７と、前タンク部４から塗装用ヘッド部７に塗料２を流す傾斜シュート部８を備えて構成される。傾斜シュート部８は、塗料２を膜状にして移動させるための傾斜面９を有し、且つ、傾斜面９が親水性能を有する。【選択図】図１
2013066810.tif 000002
【特許請求の範囲】
【請求項１】
塗装用ヘッド装置と、この塗装用ヘッド装置に塗料を供給する塗料供給路とを備え、
前記塗装用ヘッド装置が、前記塗料供給路から前記塗料が供給される前タンク部と、被塗装物に塗装するために前記塗料をカーテン状の膜として流下させるカーテン形成流下部を有する塗装用ヘッド部と、前記前タンク部から前記塗装用ヘッド部に前記塗料を流す傾斜シュート部を備えて構成され、
前記傾斜シュート部は、前記塗料を膜状にして移動させるための傾斜面を有し、且つ、前記傾斜面が親水性能を有していることを特徴とするフローコータ装置。
【請求項２】
前記傾斜シュート部は、傾斜の異なる複数の傾斜面を流れ方向に連続して備えることを特徴とする請求項１記載のフローコータ装置。
【請求項３】
前記傾斜シュート部の上流に前記塗料中に含まれる大径の気泡を消泡又は細かくするためのメッシュフィルタを備えることを特徴とする請求項１又は請求項２記載のフローコータ装置。
【発明の詳細な説明】
【技術分野】
【０００１】
本発明は、フローコータ装置に関するものである。
【背景技術】
【０００２】
フローコータ装置は、図３に示されるように、塗装用ヘッド部７と、貯留タンク１３から塗装用ヘッド部７に塗料２を供給する塗料供給路３と、余剰塗料を受ける受け部１４と、受け部１４から貯留タンク１３に塗料２を返送する返送路１５を備えている。
【０００３】
塗装用ヘッド部７には、カーテン形成流下部６が形成され、このカーテン形成流下部６から塗料２をカーテン状の膜として流下させることで、下方を通過する被塗装物５に塗料２が塗装される。
【０００４】
従来のフローコータ装置においては、図３に示されるように、塗料供給路３に脱気装置３０を設けて従来塗料２中に含まれる気泡を脱気するようになっている。なお、図３において符号１６はポンプを示す。
【０００５】
一方、主タンクに貯留した塗料をポンプでスプレーガンに供給して塗装を行うスプレー塗装において、主タンクに滞留する前段階で塗料中に含まれる気泡を消泡する技術が引用文献１により知られている。
【０００６】
この特許文献１に示される従来例は、主タンクの上流側にサブタンクを設け、サブタンクに内に流入した液体をサブタンクに設けた堰を越えて主タンクに流下させるように構成されている。
【０００７】
そして、液体が堰の上端を越えて主タンクに流下する際、堰の上端を乗り越えた液体が堰の垂直又は傾斜した外表面に沿って膜状に流れることで、液体内部に含まれる気泡が消泡されるようになっている。
【先行技術文献】
【特許文献】
【０００８】
【特許文献１】特開平７−３０８５１２号公報
【発明の概要】
【発明が解決しようとする課題】
【０００９】
前記の塗料供給路に脱気装置を設ける従来例は、塗料供給経路の途中に脱気装置を設置するため、フローコータ全体が複雑なシステムとなるという問題がある。
【００１０】
また、特許文献１に示される従来例は、スプレーガンによる塗装であるため、スプレーガンから噴霧された塗料は、無数の塗料粒粒子が霧状となって空気と接触しながら飛翔して被塗装物の表面に塗装される。したがって、せっかくスプレーガンの上流側で塗料中に含まれる空気を消泡しても、最終の塗装段階で空気を巻き込んで塗装されやすい。
【００１１】
しかも、主タンクの前で消泡するといえども、堰の垂直又は傾斜した外表面に沿って液体が膜状に流れることで消泡するだけなので、十分な消泡効果が得難い。
【００１２】
本発明は、上記の従来の問題点に鑑みて発明したもので、脱気装置を設置することなく効果的に消泡でき、被塗装物に均一且つ平滑な塗装面を施すことが可能なフローコータ装置を提供するにある。
【課題を解決するための手段】
【００１３】
本発明のフローコータ装置は、塗装用ヘッド装置と、この塗装用ヘッド装置に塗料を供給する塗料供給路とを備え、前記塗装用ヘッド装置が、前記塗料供給路から前記塗料が供給される前タンク部と、被塗装物に塗装するために前記塗料をカーテン状の膜として流下させるカーテン形成流下部を有する塗装用ヘッド部と、前記前タンク部から前記塗装用ヘッド部に前記塗料を流す傾斜シュート部を備えて構成され、前記傾斜シュート部は、前記塗料を膜状にして移動させるための傾斜面を有し、且つ、前記傾斜面が親水性能を有していることを特徴とする
また、前記傾斜シュート部は、傾斜の異なる複数の傾斜面を流れ方向に連続して備えることが好ましい。
【００１４】
また、前記傾斜シュート部の上流に前記塗料中に含まれる大径の気泡を消泡又は細かくするためのメッシュフィルタを備えることが好ましい。
【発明の効果】
【００１５】
本発明は、塗料が傾斜シュート部の傾斜面上を膜状になって移動すること、及び、傾斜面が親水性であることによる相乗効果で、塗料中に含まれる気泡が消泡しやすくなる。この結果、脱気装置を設置することなく効果的に消泡でき、被塗装物に均一且つ平滑な塗装面を施すことが可能となる。
【図面の簡単な説明】
【００１６】
【図１】本発明のフローコータ装置の一実施形態の概略構成図である。
【図２】同上の他の実施形態の概略構成図である。
【図３】従来のフローコータ装置の一実施形態の概略構成図である。
【発明を実施するための形態】
【００１７】
以下、本発明を添付図面に示す実施形態に基づいて説明する。
【００１８】
図１にはフローコータ装置１２の一実施形態の概略構成図を示している。
【００１９】
フローコータ装置１２は、塗装用ヘッド装置１と、貯留タンク１３と、貯留タンク１３と塗装用ヘッド装置１を接続する塗料供給路３と、塗装用ヘッド装置１から流下した塗料２を受ける受け部１４と、受け部１４と貯留タンク１３を接続する返送路１５を備える。
【００２０】
塗料供給路３は、貯留タンク１３側から塗装用ヘッド装置１側にかけて順にポンプ１６、フィルタ装置１７を備える。
【００２１】
塗装用ヘッド装置１は、上流側から下流側にかけて順に、前タンク部４、傾斜シュート部８、塗装用ヘッド部７を備える。
【００２２】
前タンク部４は、塗料供給路３から塗料２が供給される塗料流入部１８と、オーバーフロー用堰部１９を有する。
【００２３】
また、前タンク部４の内部は、塗料流入部１８からオーバーフロー用堰部１９にかけてメッシュフィルタ２０により複数の部屋２１、２２に仕切られる。
【００２４】
塗装用ヘッド部７は、被塗装物５に塗装するために塗料２をカーテン状の膜として流下させるカーテン形成流下部６を有する。
【００２５】
図１に示す実施形態においては、塗装用ヘッド部７はタンクにより形成され、このタンクの一側下端に、開閉手段（図示せず）を有する細長いスリット２３よりなるゲートが形成され、スリット２３の下端縁を外側方に突出して流下ガイド突片２４が形成される。この流下ガイド突片２４の上面は平坦な水平面に形成される。
【００２６】
本実施形態では、開閉手段を有する細長いスリット２３と流下ガイド突片２４とで塗料２をカーテン状の膜として流下させるカーテン形成流下部６が形成される。
【００２７】
傾斜シュート部８は上端がオーバーフロー用堰部１９に連続し、且つ、下端が塗装用ヘッド部７のカーテン形成流下部６から離れた側の上端縁に連続するように形成される。
【００２８】
傾斜シュート部８には、オーバーフロー用堰部１９をオーバーフローした塗料２が、膜状になって自重により塗装用ヘッド部７側に移動させるための傾斜面９を有している。この傾斜面９は塗装用ヘッド部７ほど低くなるように傾斜しており、また、親水性能を有している。傾斜面９に親水性能を持たせるには、傾斜面９の表面に親水性材料の層を形成したり、あるいは、傾斜シュート部８を親水性材料で形成する。
【００２９】
カーテン形成流下部６の下方には、被塗装物５を移動させて、被塗装物５の上面にカーテン形成流下部６から流下するカーテン状の塗料２が塗布されるようになっている。
【００３０】
更に、カーテン形成流下部６の下方の被塗装物５を移動する位置よりも更に下方に、受け部１４が配置される。この受け部１４は、カーテン形成流下部６から流下する塗料２のうち被塗装物５に塗布されないで更に下方に流下した塗料２を受ける。
【００３１】
返送路１５は、受け部１４で受けた塗料２を貯留タンク１３に返送するためのもので、途中にフィルタ装置２５を備える。
【００３２】
なお、受け部１４から貯留タンク１３に返送路１５を介して塗料２を返送するに当り、塗料２が重力の作用で流れて返送される場合は、ポンプは必要ないが、重力の作用で流れて返送されない場合はポンプが設けられる。
【００３３】
また、貯留タンク１３内は、返送路１５からの返送口と、塗料供給路３の吸込口との間がメッシュフィルタ２６で複数の部屋に仕切られ、塗料２がメッシュフィルタ２６を通過する際に大きな気泡が消泡されたり、細かくされる。
【００３４】
上記のような構成のフローコータ装置１２は、塗料供給路３に備えたポンプ１６を運転することで、貯留タンク１３から塗料供給路３を経て塗装用ヘッド装置１の前タンク部４に塗料２が供給される。
【００３５】
この場合、塗料供給路３に設けたフィルタ装置１７で塗料２に混入している塵などの異物が除去される。
【００３６】
前タンク部４内に供給された塗料２は、メッシュフィルタ２０を通過しオーバーフロー用堰部１９側に流れる。
【００３７】
塗料２がメッシュフィルタ２０を通過する際、塗料２中に含まれる大きな泡が消泡されるか、又は、細かくされる。
【００３８】
オーバーフロー用堰部１９側に流れた塗料２は、オーバーフロー用堰部１９を越えて傾斜シュート部８の傾斜面９を薄い膜状になって自重により流れる。
【００３９】
この場合、塗料２が、傾斜シュート部８の傾斜面９上を膜状になって移動することで塗料中に含まれる気泡が塗料２の表面側に出て消泡される。
【００４０】
また、傾斜面９が親水性能を有しているので、塗料２中に含まれる気泡が塗料２の表面側に移動して消泡される。特に、傾斜面９と塗料２との界面に位置する気泡が薄い膜状の塗料２の表面側に出て消泡される。
【００４１】
この結果、本実施形態では、塗料２が傾斜面９上を膜状になって移動すること、及び、傾斜面９が親水性であることによる相乗効果で、塗料２中に含まれる気泡が効果的に消泡される。
【００４２】
親水性能の傾斜面９を膜状になって流れた塗料２は、タンク状の塗装用ヘッド部７に流入されて溜まる。塗装用ヘッド部７に溜まった塗料２は、開閉手段を開くことで、細長いスリット２３から流出し、流下ガイド突片２４の上面を薄い膜状に流れて前端から下方にカーテン状の膜として流下し、下方を移動する被塗装物５の表面に塗料２が塗装される。
【００４３】
被塗装物５としては、例えば、表面柄の凹凸が２ｍｍ未満の床材や洗面台の扉材などに用いられるボード材を挙げることができるが、必ずしもこれに限定されないのはもちろんである。
【００４４】
前述のように塗装用ヘッド装置１で気泡を消泡した塗料２が、カーテンフローにより被塗装物５に塗装されるので、被塗装物５の表面に気泡を含まない平滑な塗装面が均一に形成される。
【００４５】
カーテン状の膜として流下する塗料２のうち、被塗装物５に塗布されず、更に下方に流下した塗料２は、受け部１４で受けられ、返送路１５を経て貯留タンク１３に返送される。
【００４６】
この塗料２の返送の際、フィルタ装置２５で塗料２に混入している塵などの異物が除去される。
【００４７】
ところで、使用される塗料２としては、異物、柄材の混入がなく、粘度が低い（目安として１０００ｃｐｍ以下）のものを用いる以外は、材質は問わない。
【００４８】
塗料２によって泡が取り除き難い時は、傾斜シュート部８の傾斜面９の長さ、傾斜面９の傾斜角度を変更して調整する。
【００４９】
また、傾斜シュート部８に傾斜面９を設けるに当り、傾斜面９として、図２のように流れ方向にかけて（上流側から下流側にかけて）連続する傾斜の異なる複数の傾斜面９１、９２を形成してもよい。図２には傾斜の異なる２つの傾斜面９１、９２を形成した例を示すが、傾斜の３つ以上の傾斜面９１、９２……を上流側から下流側にかけて連続して形成してもよい。
【００５０】
この実施形態では、塗料２が上流側から下流側にかけて傾斜の異なる複数の傾斜面９１、９２を膜状になって流れる際の速度や膜状の厚み等が変化し、この結果、より効果的に塗料２中に含まれる気泡を消泡することが可能となる。
【００５１】
ここで傾斜の異なる傾斜面９１、９２のうち、図２のように傾斜の急な傾斜面９１を上流側、傾斜の緩い傾斜面９２を下流側に位置させてもよく、あるいは図示を省略しているが、傾斜の緩い傾斜面９２を上流側、傾斜の急な傾斜面９２を下流側に位置させてもよい。
【００５２】
図２の実施形態は、前述の塗料２が傾斜の異なる複数の傾斜面９１、９２を流れることによって効果的に消泡されることに加え、塗料２が塗装用ヘッド部７に入る際のエアー噛みの防止が可能となる。
【００５３】
すなわち、傾斜面９１の傾斜が急すぎると塗装用ヘッド部７に入る際、エアーを噛みこむ可能性がある。しかし、図２に示されるように傾斜の急な傾斜面９１に続いて傾斜の緩い傾斜面９２を連続させると、塗料２が塗装用ヘッド部７に入る際の速度を落とし、エアー噛みの防止が可能となる。
【符号の説明】
【００５４】
１  塗装用ヘッド装置
２  塗料
３  塗料供給路
４  前タンク部
５  被塗装物
６  カーテン形成流下部
７  塗装用ヘッド部
８  傾斜シュート部
９  傾斜面
【図１】
2013066810.tif 000003
【図２】
2013066810.tif 000004
【図３】
2013066810.tif 000005